(57)【要約】【課題】電話機の設置位置に応じて内線番号を設定する際に、ユーザが電話機の識別情報を把握する必要がなく且つどの電話機であるかを問うことなく、設置される位置に応じて内線番号を設定する。【解決手段】中継装置と、前記中継装置に接続される端末と、を備えるネットワーク内の前記端末に対して内線番号を設定する内線番号設定装置が、前記中継装置に内線番号を一つ以上対応付けておき、前記端末に該端末自身が接続されている中継装置に対応付けられている内線番号の何れかを設定する。【選択図】図１
2014158091.tif 000002
【特許請求の範囲】
【請求項１】
中継装置と、前記中継装置に接続される端末と、を備えるネットワーク内の前記端末に対して内線番号を設定する内線番号設定装置であって、
前記中継装置に内線番号を一つ以上対応付けておき、前記端末に該端末自身が接続されている中継装置に対応付けられている内線番号の何れかを設定することを特徴とする内線番号設定装置。
【請求項２】
請求項１に記載の内線番号設定装置であって、
前記端末から、内線番号の設定要求であって、該端末自身が接続されている中継装置を識別するための情報を含む、内線番号の設定要求を受信し、前記中継装置を識別するための情報により特定される中継装置に対応付けられている内線番号の何れかを要求元の端末に返信することを特徴とする内線番号設定装置。
【請求項３】
請求項１又は２に記載の内線番号設定装置であって、
前記端末が接続されている中継装置とは、複数の中継装置のうちの前記ネットワークにおいて前記端末に最も近い中継装置であることを特徴とする内線番号設定装置。
【請求項４】
請求項１乃至３の何れか１項に記載の内線番号設定装置であって、
前記中継装置に対応付ける内線番号を異なる中継装置間で重複させ、該異なる中継装置のうちの何れかの中継装置に接続されている前記端末に前記異なる中継装置間で重複させた内線番号を設定することを特徴とする内線番号設定装置。
【請求項５】
請求項１乃至４の何れか１項に記載の内線番号設定装置であって、
少なくとも１つの或る中継装置に対応付ける内線番号の一部については他の中継装置と重複させ、内線番号の他の一部については他の中継装置とは重複させず、該或る中継装置に接続されている前記端末に、前記他の中継装置と重複させた内線番号又は前記他の中継装置と重複させなかった内線番号の何れか一方を他方よりも優先的に設定することを特徴とする内線番号設定装置。
【請求項６】
請求項１乃至５の何れか１項に記載の内線番号設定装置であって、
前記内線番号を既に設定してある端末が新たに他の中継装置に接続された場合に、該他の中継装置に対応付けられている内線番号の何れかを該端末に新たに設定することを特徴とする内線番号設定装置。
【請求項７】
中継装置と、前記中継装置に接続される端末と、前記端末に対して内線番号を設定する内線番号設定装置とを備える内線番号設定システムであって、
前記内線番号設定装置は請求項１乃至６の何れか１項に記載の内線番号設定装置であり、
前記中継装置は、該中継装置自身を識別するための情報を該中継装置に接続されている端末に対して送信し、
前記端末は、前記中継装置から受信した前記中継装置自身を識別するための情報を、前記内線番号の設定要求に含めて、前記内線番号設定装置に対して送信することを特徴とする内線番号設定システム。
【請求項８】
中継装置と、前記中継装置に接続される端末と、を備えるネットワーク内の前記端末に対して内線番号を設定する内線番号設定装置としてコンピュータを機能させるための内線番号設定プログラムであって、
前記コンピュータを、
前記中継装置に内線番号を一つ以上対応付け、前記端末に該端末自身が接続されている中継装置に対応付けられている内線番号の何れかを設定する内線番号設定装置として機能させることを特徴とする内線番号設定プログラム。
【請求項９】
中継装置と、前記中継装置に接続される端末と、を備えるネットワーク内の前記端末に対して内線番号を設定する内線番号設定装置で行われる内線番号設定方法であって、
前記中継装置に内線番号を一つ以上対応付け、前記端末に該端末自身が接続されている中継装置に対応付けられている内線番号の何れかを設定する内線番号設定装置として機能させることを特徴とする内線番号設定方法。
【請求項１０】
中継装置と、前記中継装置に接続される端末と、前記端末に対して内線番号を設定する内線番号設定装置とを備えるシステムで行われる内線番号設定方法であって、
前記内線番号設定装置は、前記中継装置に内線番号を一つ以上対応付け、
前記中継装置は、該中継装置自身を識別するための情報を該中継装置に接続されている端末に対して送信し、
前記端末は、前記中継装置から受信した前記中継装置自身を識別するための情報を、内線番号の設定要求に含めて、前記内線番号設定装置に対して送信し、
前記内線番号設定装置は、前記内線番号の設定要求に応じて、該設定要求に含まれている前記端末に該端末自身が接続されている前記中継装置を識別するための情報に基づいて、前記端末に該端末自身が接続されている中継装置に対応付けられている内線番号の何れかを設定することを特徴とする内線番号設定方法。
【発明の詳細な説明】
【技術分野】
【０００１】
本発明は、内線番号を設定する為の、内線番号設定システム、内線番号設定装置、内線番号設定方法及び内線番号設定プログラムに関する。
【背景技術】
【０００２】
ＩＰ（Internet Protocol）−ＰＢＸ（private branch exchanger）に複数のＩＰ電話機を収容することにより内線網を構築することが一般的に行われている。そしてこのような内線網では、内線網内の各ＩＰ電話機に対して内線番号を設定する。
【０００３】
この場合には、ＩＰ電話機の内線番号の設定はＩＰ電話機から手動で内線番号を設定する、またはＩＰ電話機のＭＡＣアドレス（Media Access Control address）等の各ＩＰ電話機固有の識別情報に基づいて内線番号を自動設定するという方法が取られている。
【０００４】
このような技術の一例が特許文献１に記載されている。特許文献１に記載の技術では、複数の端末それぞれのＭＡＣアドレスに対して内線番号を対応付ける。そして、その後はＭＡＣアドレスによる認証を行い、ＭＡＣアドレスの異なる複数の電話端末からの同じ内線番号によるログインを排他的に許可する。つまり、複数の電話端末に同一の内線番号を割当てても、同一の内線番号を複数の電話端末が同時に使えないようにする。これにより、複数の電話端末によって同一の内線番号を共用することが可能となる。
【先行技術文献】
【特許文献】
【０００５】
【特許文献１】特開２００９−１４７８１９号公報
【発明の概要】
【発明が解決しようとする課題】
【０００６】
上述したような技術を用いることにより、ＭＡＣアドレス等の各ＩＰ電話機固有の識別情報に基づいて内線番号を自動設定することができる。しかしながら、上述したような技術では、或る特定の位置に設置されているＩＰ電話機の内線番号を所望の番号に自動で設定することはできなかった。何故ならば、内線番号はＩＰ電話機の設置位置ではなく、ＩＰ電話機固有の識別情報に基づいて設定されてしまうからである。
【０００７】
そのため、例えば室内の或るエリアに設置された複数のＩＰ電話機の内線番号を近似したものとしたり、或る室内に設置される複数のＩＰ電話機の内線番号を近似したものとしたりする、という設定を自動的に行うことはできなかった。
【０００８】
ここで、内線番号が近似するとは、例えば、内線番号の最初の桁が共通する等である。より具体的に言うと第１の部署が存在する第１の部屋内の内線番号は「３ｘｘ」と３から始まる番号とし、第２の部署が存在する第２の部屋内の内線番号は「５ｘｘ」と５から始まる番号とするようなことである。また、このような設定は一般的なものであり、ユーザのニーズは非常に高い。
【０００９】
そして、このように位置情報に応じて内線番号を近似させたいのであれば、どの識別情報に対してどの内線番号が対応付けられるということを予め把握しておき、近似する内線番号が対応付けられるＩＰ電話機を同じ部屋に設置する必要があった。そのため、例えば他の部屋にて使用していたＩＰ電話機を新たに別の部屋で利用すること等が困難となっていた。
【００１０】
また、仮に特定の位置に存在するＩＰ電話機の内線番号を任意に設定しようと思うならば、自らが特定の位置にＩＰ電話機を設置し、手動で内線番号を設定する必要があった。または、設置後にＩＰ電話機の識別情報と内線番号のリンク（紐付け）を事後的に変更することが可能なＩＰ−ＰＢＸ及びＩＰ電話機を設置しなければならなかった。
【００１１】
そして、このような手動による設定、若しくは自動設定された内線番号の事後的な変更は特に内線網の規模が増大するにつれて非常に煩雑なものとなってしまっていた。
【００１２】
そこで、本発明は、電話機の設置位置に応じて内線番号を設定する際に、ユーザが電話機の識別情報を把握する必要がなく且つどの電話機であるかを問うことなく、設置される位置に応じて内線番号を設定することが可能な、内線番号設定システム、内線番号設定装置、内線番号設定方法及び内線番号設定プログラムを提供することを目的とする。
【課題を解決するための手段】
【００１３】
本発明の第１の観点によれば、中継装置と、前記中継装置に接続される端末と、を備えるネットワーク内の前記端末に対して内線番号を設定する内線番号設定装置であって、前記中継装置に内線番号を一つ以上対応付けておき、前記端末に該端末自身が接続されている中継装置に対応付けられている内線番号の何れかを設定することを特徴とする内線番号設定装置が提供される。
【００１４】
本発明の第２の観点によれば、中継装置と、前記中継装置に接続される端末と、前記端末に対して内線番号を設定する内線番号設定装置とを備える内線番号設定システムであって、前記内線番号設定装置は上記本発明の第２の観点により提供される内線番号設定装置であり、前記中継装置は、該中継装置自身を識別するための情報を該中継装置に接続されている端末に対して送信し、前記端末は、前記中継装置から受信した前記中継装置自身を識別するための情報を、前記内線番号の設定要求に含めて、前記内線番号設定装置に対して送信することを特徴とする内線番号設定システムが提供される。
【００１５】
本発明の第３の観点によれば、中継装置と、前記中継装置に接続される端末と、を備えるネットワーク内の前記端末に対して内線番号を設定する内線番号設定装置としてコンピュータを機能させるための内線番号設定プログラムであって、前記コンピュータを、前記中継装置に内線番号を一つ以上対応付け、前記端末に該端末自身が接続されている中継装置に対応付けられている内線番号の何れかを設定する内線番号設定装置として機能させることを特徴とする内線番号設定プログラムが提供される。
【００１６】
本発明の第４の観点によれば、中継装置と、前記中継装置に接続される端末と、を備えるネットワーク内の前記端末に対して内線番号を設定する内線番号設定装置で行われる内線番号設定方法であって、前記中継装置に内線番号を一つ以上対応付け、前記端末に該端末自身が接続されている中継装置に対応付けられている内線番号の何れかを設定する内線番号設定装置として機能させることを特徴とする内線番号設定方法が提供される。
【００１７】
本発明の第５の観点によれば、中継装置と、前記中継装置に接続される端末と、前記端末に対して内線番号を設定する内線番号設定装置とを備えるシステムで行われる内線番号設定方法であって、前記内線番号設定装置は、前記中継装置に内線番号を一つ以上対応付け、前記中継装置は、該中継装置自身を識別するための情報を該中継装置に接続されている端末に対して送信し、前記端末は、前記中継装置から受信した前記中継装置自身を識別するための情報を、内線番号の設定要求に含めて、前記内線番号設定装置に対して送信し、前記内線番号設定装置は、前記内線番号の設定要求に応じて、該設定要求に含まれている前記端末に該端末自身が接続されている前記中継装置を識別するための情報に基づいて、前記端末に該端末自身が接続されている中継装置に対応付けられている内線番号の何れかを設定することを特徴とする内線番号設定方法が提供される。
【発明の効果】
【００１８】
本発明によれば、電話機の設置位置に応じて内線番号を設定する際に、ユーザが電話機の識別情報を把握する必要がなく且つどの電話機であるかを問うことなく、設置される位置に応じて内線番号を設定することが可能となる。
【図面の簡単な説明】
【００１９】
【図１】本発明の実施形態に含まれる各機器の配置例を表す配置図である。
【図２】本発明の実施形態の基本的構成を表すブロック図である。
【図３】本発明の実施形態で利用されるテーブルの例を表す図である。
【図４】本発明の実施形態の基本的動作を表すシーケンス図である。
【図５】本発明の実施形態における内線番号決定処理について表すフローチャートである。
【図６】本発明の実施形態の第１の変形例で利用されるテーブルの例を表す図である。
【図７】本発明の実施形態の第１の変形例に含まれる各機器の配置例を表す配置図である。
【図８】本発明の実施形態の第２の変形例で利用されるテーブルの例を表す図である。
【図９】本発明の実施形態の第２の変形例に含まれる各機器の配置例を表す配置図である。
【発明を実施するための形態】
【００２０】
次に、本発明の実施形態について詳細に説明するに先立って、まず本実施形態の概略を説明する。
【００２１】
本実施形態では、ＩＰ電話機の設置された位置に基づいて特定の場所に指定した内線番号を自動で設定することを可能にする。そのために本実施形態では、中継装置であるＬＡＮスイッチがそれぞれどこに設置されているのかを予め把握しておく。これにより或るＬＡＮスイッチを特定する識別情報はこの或るＬＡＮスイッチが設置されているこの或る場所を特定する為の情報となる。
【００２２】
更に、本実施形態では中継装置であるＬＡＮスイッチの設置位置をＩＰ電話機の設置位置とみなす。つまり、或る場所に設置されている或るＬＡＮスイッチに接続されている或るＩＰ電話機も、また、この或る場所に設置されているものと考える。よって、この或るＬＡＮスイッチを特定する識別情報はこの或るＬＡＮスイッチが設置されているこの或る場所を特定する為の情報となる。そして、ＩＰ電話機の識別情報ではなくＬＡＮスイッチの識別情報（すなわち場所を特定する情報）に応じて内線番号を設定する。これにより、ＩＰ電話機の設置された位置に基づいて特定の場所に指定した内線番号を自動で設定することを可能にする。
【００２３】
より具体的にいうと、本実施形態では、ＩＰ電話機の位置情報から特定の場所に指定した内線番号を自動で設定するためにＬＬＤＰ（Link Layer Discovery Protocol）機能を利用する。そして、ＬＬＤＰ機能を有するＬＡＮスイッチにＬＬＤＰ機能を有するＩＰ電話機を接続し、ＬＡＮスイッチから送信されるＬＬＤＰの位置情報データをＩＰ電話機は受信、保存し、ＩＰ−ＰＢＸにＩＰ電話機の位置情報を通知するために位置情報を送信する。ＩＰ−ＰＢＸでは各ＩＰ電話機が送信する位置情報を受信し、位置情報を一括管理し、特定のＬＡＮスイッチに接続する各ＩＰ電話機の内線番号を自動で設定する。
【００２４】
ここで、ＬＬＤＰ機能とはＬＬＤＰに準拠して実現される機能である。また、ＬＬＤＰはＩＥＥＥ（The Institute of Electrical and Electronics Engineers, Inc.）により策定されたＩＥＥＥ  ８０２．１ＡＢのことを指す。ＩＥＥＥ  ８０２．１ＡＢの正式名称は「Station and Media Access Control Connectivity Discovery」であるが、一般的にはＬＬＤＰという名称で呼ばれていることから、本実施形態の説明においてもＬＬＤＰと呼ぶこととする。
【００２５】
なお、従前はＬＬＤＰと同様なプロトコルをネットワーク機器ベンダーが各々独自に策定していたため、例えばベンダーを統一する必要があった。しかし、ＬＬＤＰが標準化されたことからベンダーを問うことなく対応製品を選択可能となってきている。そのため、本実施形態は実装が容易である点においても利点がある。
【００２６】
次に、本発明の実施形態の構成について図面を参照して詳細に説明する。
【００２７】
図１を参照すると、本発明の実施形態である内線番号自動設定システムは、ＩＰ−ＰＢＸ１、ＬＡＮスイッチ２−１、ＬＡＮスイッチ２−２、ＬＡＮスイッチ２−３、ＩＰ電話機３−１、ＩＰ電話機３−２、ＩＰ電話機３−３、ＩＰ電話機３−４及びＩＰ電話機３−５を含む。
【００２８】
各ＩＰ電話機３（ＩＰ電話機３−１、ＩＰ電話機３−２、ＩＰ電話機３−３、ＩＰ電話機３−４及びＩＰ電話機３−５）は、ＬＡＮスイッチ２−２又はＬＡＮスイッチ２−３と、ＬＡＮスイッチ２−１とを介してＩＰ−ＰＢＸ１に収容されている。ここで、ＩＰ−ＰＢＸ１は各ＩＰ電話機の内線同士での通話の管理や、内線と外線の交換を行うＰＢＸ（private branch exchanger）である。各ＩＰ電話機３とＩＰ−ＰＢＸ１は、ＩＰ（Internet Protocol）の１つであるＳＩＰ（Session Initiation Protocol）に準拠して通信を実現する。
【００２９】
また、各ＬＡＮスイッチ２（ＬＡＮスイッチ２−１、ＬＡＮスイッチ２−２、ＬＡＮスイッチ２−３）は、ＬＬＤＰに準拠して実現される機能を含むＬＡＮスイッチである。なお、以下の説明においてこのようなＬＬＤＰに準拠して実現される機能を「ＬＬＤＰ機能」と呼ぶ。また、ＬＬＤＰに準拠したパケットデータを「ＬＬＤＰパケット」と呼ぶ。ＳＩＰに準拠したパケットデータを「ＳＩＰパケット」と呼ぶ。
【００３０】
また、今回の説明では便宜上、ＬＡＮスイッチ２−２に接続するＩＰ電話機３−１及びＩＰ電話機３−２はグループ１００というグループに属するものとする。また、ＬＡＮスイッチ２−３に接続するＩＰ電話機３−３、ＩＰ電話機３−４及びＩＰ電話機３−５はグループ１０１というグループに属するものとする。なお、図１に表される例において、ＬＡＮスイッチ２−１にはＩＰ電話機３が接続されていないが、ＬＡＮスイッチ２−１にもＩＰ電話機３を接続しても良い。その場合には、ＬＡＮスイッチ２−１に接続されたＩＰ電話機３はグループ１００及びグループ１０１以外の新たなグループに属することとなる。つまり、ＬＡＮスイッチ２−１が、ＬＡＮスイッチ２−２及びＬＡＮスイッチ２−３の上位階層であるからといってＬＡＮスイッチ２−１に接続されたＩＰ電話機３がグループ１００やグループ１０１に属することとはならない。
【００３１】
何故ならば、本実施形態ではＬＡＮスイッチ２が何れの階層にあるかを考慮せずに内線番号の設定を行うからである。詳細については後述するが、本実施形態では、各ＩＰ電話機３直近の、ＩＰ電話機３が直接接続されているＬＡＮスイッチ２に基づいて内線番号が設定され、このＬＡＮスイッチ２が何階層目であるかということや、上位階層のＬＡＮスイッチ２がどのＬＡＮスイッチ２であるかということは考慮せずに内線番号が設定される。
【００３２】
更に、図１に表されているネットワーク・トポロジーは単なる例示に過ぎず本実施形態の適用範囲を限定するものではない。また、本実施形態ではＬＡＮスイッチやＩＰ電話機の台数に関しても特に制限は無い。
【００３３】
次に、図２を参照して本実施形態における各端末の内部構成について詳細に説明する。
【００３４】
図２を参照すると、ＩＰ電話機３−１は、通信部３１、内線番号設定部３２及び記憶部３３を含む。また、ＬＡＮスイッチ２−２は通信部２１及びＬＬＤＰ通知部２２を含む。更に、ＩＰ−ＰＢＸ１は、通信部１１、内線番号管理部１２及びデータベース１３を含む。また、本実施形態では、ＬＡＮスイッチ２−２とＩＰ−ＰＢＸ１の間にはＬＡＮスイッチ２−１が存在するが図２においては図示を省略する。なお、図示を省略するＬＡＮスイッチ２−１は、ＬＡＮスイッチ２−２と同等の構成を含む。
【００３５】
ＩＰ電話機３−１の、通信部３１はＬＡＮスイッチ２−２とＬＬＤＰに準拠した通信を行い、ＬＬＤＰパケットを送受信する。また、通信部３１はＬＡＮスイッチ２−２及びＬＡＮスイッチ２−１を介してＩＰ−ＰＢＸ１とＳＩＰに準拠した通信を行い、ＳＩＰパケットを送受信する。
【００３６】
内線番号設定部３２は、ＩＰ電話機３−１の内線電話番号の設定を行う機能を有する。ＩＰ電話機３−１が本実施形態に接続された当初は、内線番号はＩＰ電話機３−１には未だ対応付けられていない。この場合、内線番号設定部３２は、本実施形態への接続の検知や、ユーザからの操作受付、或いはＬＡＮスイッチ２−２から送信されたＬＬＤＰパケットの受信、等を契機としてＩＰ電話機３−１への内線番号の設定を開始する。
【００３７】
具体的には、ＬＡＮスイッチ２−２から送信されたＬＬＤＰパケットに含まれているＬＬＤＰ位置情報に基づいてＳＩＰ位置情報を作成する。なお、ＬＡＮスイッチ２−２から送信されたＬＬＤＰパケットは記憶部３３に記憶されている。
【００３８】
そして、作成したＳＩＰ位置情報及び内線番号の設定要求のメッセージをＳＩＰパケットとしてＬＡＮスイッチ２−２及びＬＡＮスイッチ２−１経由でＩＰ−ＰＢＸ１に送信する。その後、ＩＰ−ＰＢＸ１より内線番号を含んだＳＩＰパケットが返信されてくるので、これを受信する。また、受信したＳＩＰパケットを参照して内線番号を把握すると共に、把握した内線番号をＩＰ電話機３−１に設定する。なお、ＩＰ電話機３−１内で設定するのに加えて、この内線番号を画面に表示する等してユーザに内線番号を通知するようにしても良い。
【００３９】
記憶部３３は、ＬＡＮスイッチ２−２から送信されたＬＬＤＰパケットを記憶する記憶装置である。
【００４０】
また、ＬＡＮスイッチ２−２の通信部２１は、通信部３１とＬＬＤＰに準拠した通信を行い、ＬＬＤＰパケットを送受信する。また、通信部３１はＩＰ−ＰＢＸ１とＩＰ電話機３−１のＳＩＰに準拠した通信の中継を行う、すなわち、ＩＰ−ＰＢＸ１とＩＰ電話機３−１間で送受信されるＳＩＰパケットを中継する。
【００４１】
ＬＬＤＰ通知部２２は、ＬＬＤＰ位置情報をＬＬＤＰパケットに含ませて、通信部２１を用いてＩＰ電話機３−１に対して送信する。ＬＬＤＰ位置情報には少なくともＬＡＮスイッチ２−２を識別し、特定するための情報が含まれる。具体的には、ＬＡＮスイッチ２−２の名称、ＬＡＮスイッチ２−２のＭＡＣアドレス或いはＬＡＮスイッチ２−２の管理用アドレスといった情報が含まれる。なお、これらは例示に過ぎず、他の情報によりＬＡＮスイッチ２−２を特定するようにしても良い。
【００４２】
また、例えばＩＰ電話機３−１がＬＡＮスイッチ２−２の何番目のポートに接続されているのか等の位置情報以外の他の情報を更に含ませるようにしても良い。
【００４３】
ＬＬＤＰ通知部２２によるＬＬＤＰ位置情報の送信は定期的（例えば３０秒毎）に行われるようにしても良いし、ＩＰ電話機３−１やＩＰ−ＰＢＸ１からの指示や、ＬＡＮスイッチ２−１の電源の投入を契機に行われるようにしても良い。
【００４４】
また、ＩＰ−ＰＢＸ１の通信部１１は通信部２１等を中継して各ＩＰ電話機３の通信部３１とＳＩＰパケットを送受信することにより、ＩＰ電話機３における音声通信を実現する。同様に、本実施形態特有の処理である内線番号設定部３２とのＳＩＰパケットの送受信もＩＰ−ＰＢＸ１の通信部１１を用いて行われる。つまり、通信部１１を用いて各ＩＰ電話機３からＳＩＰ位置情報及び内線番号の設定要求のメッセージを含んだＳＩＰパケットを受信し、これの返信として内線番号を含んだＳＩＰパケットを送信する。
【００４５】
内線番号管理部１２は内線番号を管理する機能を含む。具体的には内線番号対応付けテーブルが記憶されているデータベースを参照することにより、各ＩＰ電話機３に内線番号を対応付ける。また、対応付けた内線番号に基づいて内線番号を含んだＳＩＰパケットを生成する、そして、生成したＳＩＰパケットを、通信部１１、・・・２１、３１を介してＩＰ電話機３の内線番号設定部３２に対して送信する。
【００４６】
データベース１３には、内線番号に関する情報がテーブルとして記憶されている。この点について図３を参照して説明する。
【００４７】
図３に表される内線番号対応付けテーブルは、項目として位置情報、ＬＡＮスイッチ識別情報、ＩＰ電話機識別情報及び内線番号を項目として含む。本実施形態では位置情報Ａ、Ｂ、Ｃ・・・、というように位置情報を設定している。そして、各位置情報はそれぞれＬＡＮスイッチ２に対応している。よって、本テーブル内には、１つのＬＡＮスイッチ識別情報は１つの位置情報が対応して格納されている。
【００４８】
また、本テーブルでは、ＬＡＮスイッチ２がＮ個（Ｎは１以上の整数）存在していることを想定しているので、ＬＡＮスイッチ２の識別情報もＬＡＮスイッチ２−Ｎまで存在する。なお、ＬＡＮスイッチ２の識別情報及びＩＰ電話機３の識別情報としては説明の便宜上図１にて用いられている符号（例えば「ＬＡＮスイッチ２−２」）をそのまま利用しているが、これはあくまで例示である。本実施形態では、各ＩＰ電話機３や各ＬＡＮスイッチ２それぞれに本実施形態特有のＩＤを対応付けて識別情報としても良いが、例えばＭＡＣアドレス等の機器固有の情報をそのまま識別情報としても良い。更に、必ずしも全てのＬＡＮスイッチ２に位置情報を対応付ける必要は無い。例えば、ＬＡＮスイッチ２−１の配置上、ＬＡＮスイッチ２−１に直接接続するのは他のＬＡＮスイッチ２のみであって、ＬＡＮスイッチ２−１に直接ＩＰ電話機３を接続する予定が無いような場合には、ＬＡＮスイッチ２−１に対して位置情報を対応付ける必要は無い。なお、本テーブルにおける、ＬＡＮスイッチ識別情報と位置情報の対応付け等は利用状況に応じて修正することも可能である。
【００４９】
ＩＰ電話機識別情報は、各ＩＰ電話機３から送信されてきたＳＩＰパケットに含まれるＩＰ電話機３の位置情報に対応するようにテーブルに登録される。
【００５０】
併せて、各ＩＰ電話機３には位置情報に応じた内線番号が対応付けられる。内線番号の具体的な対応付け動作については後述する。
【００５１】
以上で、本実施形態の機能ブロックについての説明を終了する。なお、ＩＰ電話機３−１、ＬＡＮスイッチ２−２及びＩＰ−ＰＢＸ１は、それぞれ、図３に示す機能ブロックの他に、ＩＰ電話機、ＬＡＮスイッチ及びＩＰ−ＰＢＸとして機能するために必要な機能ブロックを有しているが、それは本実施形態の要旨では無いので図示及び説明を省略する。
【００５２】
また、今回は図２においてＩＰ電話機３−１を例にとって説明をしたが、他のＩＰ電話機３（ＩＰ電話機３−２、ＩＰ電話機３−３、ＩＰ電話機３−４及びＩＰ電話機３−５）も同等の構成を含んでいるものとする。また、各ＬＡＮスイッチ２（ＬＡＮスイッチ２−１及びＬＡＮスイッチ２−３）もそれぞれがＬＡＮスイッチ２−２と同等の構成を含んでいるものとする。
【００５３】
続いて、図４及び図５を参照して本実施形態の動作について詳細に説明する。図２と同様に、ＬＡＮスイッチ２−２及びＩＰ電話機３−１を例に取って説明するが他のＬＡＮスイッチ２及びＩＰ電話機３も同様の動作をするものとする。また、ＩＰ電話機３−１とＩＰ−ＰＢＸ１との間での通信にはＬＡＮスイッチ２−２及びＬＡＮスイッチ２−１が介在するが、これらのＬＡＮスイッチ２は中継を行うだけであるので図示を省略する。
【００５４】
まず、ＬＡＮスイッチ２−２はＬＬＤＰパケットをＩＰ電話機３−１に送信する（ステップＳ５１）。上述したように、このＬＬＤＰパケットには少なくともＬＡＮスイッチ２−２を識別するためのＬＡＮスイッチ識別情報が含まれている。ＩＰ電話機３−１はＬＬＤＰパケットを受信し、受信したＬＬＤＰパケットを参照する。これによりＩＰ電話機３−１は、ＩＰ電話機３−１自身がどのＬＡＮスイッチ２に接続しているかという情報であるＬＡＮスイッチ識別情報を取得する。そして、本実施形態の説明冒頭で述べたように本実施形態では、このＬＡＮスイッチ識別情報はＬＡＮスイッチ２及びこれに接続するＩＰ電話機３の双方の設置位置を表す情報となるので、以下の説明では「位置情報」と呼ぶこととする。ＩＰ電話機３−１は、取得した位置情報を記憶部３３にて保存する。
【００５５】
次に、ＩＰ電話機３−１は、内線番号の設定要求のメッセージを、ＩＰ−ＰＢＸ１に、ＬＡＮスイッチ２−２から取得した位置情報含めて、ＳＩＰパケットの形態で送信する（ステップＳ５２）。つまり、このメッセージの送信は、ＩＰ電話機３−１からの内線番号の設定要求を示すメッセージの送信であり、ＩＰ電話機３−１が新たな位置情報を取得するたびに少なくとも行われる。
【００５６】
また、ＩＰ電話機３−１が新たな位置情報を取得していない場合であっても定期的に位置情報の送信（内線番号の設定要求）が行われても良い。定期的に送信する理由であるが、図３として表されるようなテーブル全体の書き換えがあった場合には、同じ位置情報に対して異なる内線番号が対応付けられるようなことも有るからである。すなわち、位置情報に変更が無くても内線番号が変更される場合もあり得るからである。
【００５７】
ＩＰ−ＰＢＸ１は位置情報を受信し、受信した位置情報をデータベース１３に保存する。そして、ＩＰ−ＰＢＸ１は位置情報に応じてＩＰ電話機に内線番号を割り振るという内線番号決定処理を行う（ステップＳ５３）。内線番号決定処理の具体的な方法については、図５を参照して後述する。
【００５８】
次に、ＩＰ−ＰＢＸ１は取得した位置情報に応じて割り振った内線番号を、内線番号設定要求の送信元であるＩＰ電話機３−１に対してＳＩＰパケットにより返信する（ステップＳ５４）。ＩＰ電話機３−１はその内線番号を受信し、内線番号を設定する。
【００５９】
続いて、図５のフローチャートを参照して本実施形態ステップＳ５３の動作についてより詳細に説明する。
【００６０】
まずステップＳ５２が終了すると次にステップＳ５３−１が行われる。ステップＳ５３−１では今回のステップＳ５２において送信されてきた最新のＬＡＮスイッチ識別情報に対応した位置情報に紐付けてＩＰ電話機３−１が既に登録されているかを確認する。具体的には、図３に表されるようなデータベース１３内のテーブルのＬＡＮスイッチ２−２に対応した位置情報Ａに紐付けてＩＰ電話機３−１が登録済みであるか確認する（ステップＳ５３）。
【００６１】
登録済みである場合（ステップＳ５３−１においてＹｅｓ）には、再度登録をしても同じ情報が重複するだけなので、登録を行うことなくステップＳ５３−４に進む。
【００６２】
また、テーブル自体に未登録である場合（ステップＳ５３−１においてＮｏ（未登録））には、ＩＰ電話機３−１をデータベース１３内のテーブルの、今回のステップＳ５２において送信されてきた最新のＬＡＮスイッチ識別情報に対応する項目に登録する（ステップＳ５３−２）。具体的には、ＬＡＮスイッチ２−２に対応した位置情報Ａに紐付けてＩＰ電話機３−１を登録する。
【００６３】
更に、登録済みではあるが、その登録されている項目が今回のステップＳ５２において送信されてきた最新のＬＡＮスイッチ識別情報に対応していない場合も考えられる（ステップＳ５３−１においてＮｏ（異なる項目に登録済み））。
【００６４】
これは例えば、ＩＰ電話機３−１が過去にＬＡＮスイッチ２−２以外の他のＬＡＮスイッチ２に接続されていた場合であって、ＩＰ電話機３−１はこの他のＬＡＮスイッチ２に対応している位置情報に紐付けられて登録されている場合である。つまり、ＩＰ電話機３−１が他のＬＡＮスイッチ２からＬＡＮスイッチ２−２に繋ぎ代えられた場合である。また他にも、ＬＡＮスイッチ２−２に現在とは異なる位置情報が対応付けられていたがデータベース１３内のテーブルが書き換えられたような場合も考えられる。何れにせよこれらの場合には、現在のＩＰ電話機３−１の登録を削除し、今回のステップＳ５２において送信されてきた最新のＬＡＮスイッチ識別情報に対応する位置情報の項目に新たにＩＰ電話機３−１を登録する。すなわち、登録内容を修正する（ステップＳ５３−３）。
【００６５】
なお、図３に表されるテーブルを例に取ると、今回ＬＡＮスイッチ識別情報としては「ＬＡＮスイッチ２−２」が送信されてきているところ、ＬＡＮスイッチ２−２に対応する位置情報は「位置情報Ａ」となる。ここで、位置情報Ａに対応する項目にＩＰ電話機３−１は登録されていないものとする。そこで、ＩＰ−ＰＢＸ１は位置情報Ａに対応する項目にＩＰ電話機３−１を登録する。
【００６６】
次に、ステップＳ５３−４〜Ｓ５３−１０において今回内線番号を設定する対象のＩＰ電話機に対応する位置情報に応じて、内線番号を設定する。すなわち、データベース１３から位置情報を検索し、位置情報Ａに該当するＩＰ電話機は内線番号１ｘｘ、位置情報Ｂに該当するＩＰ電話機は内線番号２ｘｘ、位置情報Ｃに該当するＩＰ電話機は内線番号３ｘｘと設定する。
【００６７】
今回の例でいうと、内線番号設定要求と共に受信した位置情報、すなわち、内線番号を設定する対象のＩＰ電話機であるＩＰ電話機３−１に対応する位置情報、は「位置情報Ａ」なので、ステップＳ５３−４においてＹｅｓとなる。ここで、位置情報Ａに対応する内線番号として「１００」〜「１９９」までが対応付けられているとするならば、ＩＰ電話機３−１に設定する内線電話番号は「１ｘｘ」となる。ここで、一例として「ｘｘ」部分は未設定の番号のうち若い番号から順に対応付けることとしている場合について考える。この場合、最も若い番号である「１００」は既にＩＰ電話機３−２に対応付けられているので、ＩＰ電話機３−１には次に若い番号である「１０１」が内線番号として設定される。
【００６８】
なお、仮に内線番号設定要求と共に受信した位置情報、すなわち、内線番号を設定する対象のＩＰ電話機であるＩＰ電話機３−１に対応する位置情報、が、位置情報Ａではない場合（ステップＳ５３−４においてＮｏ）は、ステップＳ５３−６に進み位置情報Ｂであるかどうかを確認する。このように、判定する位置情報を変更していくことを繰り返しながら、最終的に内線番号を設定する（ステップＳ５３−４〜ステップＳ５３−１０）。
【００６９】
設定が終了後はステップＳ５４へ進む。
【００７０】
なお、上記したステップＳ５３ではＩＰ−ＰＢＸ１が内線番号を割り振り、その割り振った内線番号をＩＰ電話機３に通知している。これを一部変形して、ＩＰ−ＰＢＸ１は取得した位置情報に応じて、ＬＡＮスイッチ２に所属するグループ毎に指定する内線番号の一部のみを送信するようにしても良い。例えば内線番号が３桁からなるとするならば、「５ｘｘ」という情報のみを送信するようにしても良い。そして、例えばポート番号等に基づいてＩＰ電話機３自身が内線番号を最終決定しても良い。例えばＩＰ電話機３−１がＬＬＤＰ機能によりＬＡＮスイッチ２−２のポート番号「９」のポートに接続されているとする。この場合「５ｘｘ」が返信されてきて、且つ、ポート番号が「９」という情報に基づいて、内線番号を「５０９」と設定するようにしても良い。
【００７１】
以上説明した本実施形態では、電話機の設置位置に応じて内線番号を設定することが可能となる。
【００７２】
その理由は、ＬＡＮスイッチの識別情報を電話機の設置位置であるとみなして、ＬＡＮスイッチの識別情報に基づいて内線電話番号を対応付けるからである。
【００７３】
また、以上説明した本実施形態では、どの電話機であるかを問うことなく、設置される位置に応じて内線番号を設定することが可能となる。
【００７４】
その理由は、本実施形態では電話機の識別情報には依拠せず、ＬＡＮスイッチ識別情報に依拠して内線番号を決定しているからである。すなわち、電話機固有の情報により内線電話番号を対応付けるのでは無いためである。
【００７５】
また、以上説明した本実施形態では、ユーザが電話機の識別情報を把握する必要がなく、設置される位置に応じて内線番号を設定することが可能となる。
【００７６】
その理由は、本実施形態が自動的に内線番号を設定するからである。また、これによりユーザの内線番号の管理を非常に簡単なものとすることも可能となる。
【００７７】
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【００７８】
そこで、上述した実施形態の変形例について説明する。これら変形例は内線番号の対応付けに関するものである。
【００７９】
まず、図６及び図７を参照して第１の変形例について説明をする。図６は本変形例におけるデータベース１３上のテーブルである。上述の実施形態ではＬＡＮスイッチ識別情報と位置情報とが一対一の関係で対応付けられていた。しかし本変形例ではＬＡＮスイッチ識別情報と位置情報とを多対一の関係で対応付ける。
【００８０】
例えば図６に表されるように「位置情報Ａ」に対し、ＬＡＮスイッチ２−２及びＬＡＮスイッチ２−３を対応付ける。これによりＬＡＮスイッチ２−２に接続しているＩＰ電話機３−ｘと、ＬＡＮスイッチ２−３に接続しているＩＰ電話機３−ｘの双方に内線番号「１ｘｘ」を設定することが可能となる。
【００８１】
例えば図７に表されるように隣接するＬＡＮスイッチ２−２及びＬＡＮスイッチ２−３に接続しているＩＰ電話機３−ｘには内線番号「１ｘｘ」を設定することが可能となる。これにより、例えばＬＡＮスイッチ２−２に接続可能な台数以上にＩＰ電話機３−ｘを設置する場合であっても、ＬＡＮスイッチ２−２に隣接するＬＡＮスイッチ２−３を用いることにより設置位置に応じた内線番号を設定することが可能となる。また、室内のレイアウトの都合上同一室内に２つのＬＡＮスイッチ（ＬＡＮスイッチ２−２及びＬＡＮスイッチ２−３）が混在してしまうような場合でも同じ室内であるという設置位置に応じた内線番号を設定することが可能となる。
【００８２】
次に、図８及び図９を参照して第２の変形例について説明をする。図８は本変形例におけるデータベース１３上のテーブルである。上述の実施形態ではＬＡＮスイッチ識別情報と位置情報とが一対一の関係で対応付けられていた。また第１の変形例ではＬＡＮスイッチ識別情報と位置情報とが多対一の関係で対応付けられていた。本変形例ではＬＡＮスイッチ識別情報と位置情報とを多対一及び一対多の関係を混合させて対応付ける。
【００８３】
なお、多対一の関係と混合させることなく、一対多の関係のみとすることも考えられる。例えばＬＡＭスイッチ２−２と、位置情報Ａ（番号１００〜１９９）及び位置情報Ｂ（番号２００〜２９９）を対応付けることも考えられる。しかし、それならば位置情報Ａに番号１００〜２９９を割り当てれば済む。そのため、第２の変形例では、混合した形態を例に取って説明をする。
【００８４】
例えば図８に表されるように「位置情報Ｘ」に対し、ＬＡＮスイッチ２−２、ＬＡＮスイッチ２−３、ＬＡＮスイッチ２−５及びＬＡＮスイッチ２−６を対応付ける。ここで、「位置情報Ｘ」は名称としては位置情報ではあるが実際の位置を表すものではなく、予備の内線番号を管理する為の論理的な架空の位置情報である。
【００８５】
そして、位置情報Ｘに対しても内線番号を対応付けておく。本例では位置情報Ｘに内線番号「９ｘｘ」を対応付けておく。
【００８６】
これにより、例えばＬＡＮスイッチ２−２に接続されるＩＰ電話機３−ｘに対しては内線番号「１ｘｘ」又は内線番号「９ｘｘ」が設定される。同様に例えばＬＡＮスイッチ２−３に接続されるＩＰ電話機３−ｘに対しては内線番号「２ｘｘ」又は内線番号「９ｘｘ」が設定される。
【００８７】
そして、本変形例では、ＩＰ電話機３−ｘに対して、各ＬＡＮスイッチ２に個別に対応付けられている内線番号（「１ｘｘ」、「２ｘｘ」、「３１ｘ」及び「３２ｘ」）と、内線番号「９ｘｘ」の何れを優先的に設定するのかを定めておく。
【００８８】
例えば、内線番号各ＬＡＮスイッチ２に個別に対応付けられている内線番号（「１ｘｘ」、「２ｘｘ」、「３１ｘ」及び「３２ｘ」）を優先的に設定するとするならば、例えばＬＡＮスイッチ２−２に接続されるＩＰ電話機３−ｘへの設定により内線番号「１００」〜「１９９」が全て使用済みとなり、未使用の「１ｘｘ」が枯渇してしまった場合にＬＡＮスイッチ２−２に接続されるＩＰ電話機３−ｘに対してはじめて内線番号「９ｘｘ」を設定する。
【００８９】
このようにすることにより、各ＬＡＮスイッチ２の位置情報への内線番号の対応付けが不適切であり、使用できる内線番号が無くなってしまったような場合であっても、内線番号「９ｘｘ」といった予備の番号を付与することが可能となる。
【００９０】
すなわち、少なくとも内線番号が枯渇するまでは設置位置に応じた内線番号を設定できると共に、内線番号が枯渇してしまった場合であっても、何かしらの内線番号を設定することができる。
【００９１】
なお、用途によっては内線番号「９ｘｘ」を優先的に設定するようにすることも可能である。
【００９２】
また、内線番号の設定範囲は位置情報毎に異なるようにすることもできる。例えば位置情報Ａや位置情報Ｂには、内線番号「１００〜１９９」或いは内線番号「２００〜２９９」というように１００個の範囲で内線番号が割り振られている。もっとも位置情報Ｃや位置情報Ｄという位置情報に関しては、内線番号「３１ｘ」、内線番号「３２ｘ」というように対応付けても良い。つまり内線番号「３１０〜３１９」や内線番号「３２０〜３２９」というように１０個の範囲で内線番号が割り振られるようにしても良い。このように割り振った場合の構成例が図９に表される例である。
【００９３】
図９を参照するとＬＡＮスイッチ２−１及びＬＡＮスイッチ２−２に対しては内線番号が１００個の範囲で内線番号が割り振られている一方で、ＬＡＮスイッチ２−５及びＬＡＮスイッチ２−６に対しては内線番号が１０個の範囲で内線番号が割り振られている。
【００９４】
また、図９では、各ＬＡＮスイッチ２には各ＬＡＮスイッチ２に対応付けられた個別の内線番号に加えて、内線番号「９ｘｘ」も対応付けられている。これは図８を参照して説明したように、各ＬＡＮスイッチ２には予備の内線番号である「９ｘｘ」も対応付けられているからである。
【００９５】
なお、上記の内線番号設定システム内に含まれるＩＰ−ＰＢＯＸ、ＬＡＮスイッチ及びＩＰ電話機のそれぞれはハードウェア、ソフトウェア又はこれらの組合わせにより実現することができる。また、上記の内線番号設定システム内に含まれるＩＰ−ＰＢＯＸ、ＬＡＮスイッチ及びＩＰ電話機全部又は一部が協働することにより行なわれる内線番号設定方法、或いは上記の内線番号設定システム内に含まれるＩＰ−ＰＢＯＸ、ＬＡＮスイッチ及びＩＰ電話機の何れかにより行なわれる内線番号設定方法は、ハードウェア、ソフトウェア又はこれらの組合わせにより実現することができる。ここで、ソフトウェアによって実現されるとは、コンピュータがプログラムを読み込んで実行することにより実現されることを意味する。
【００９６】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９７】
上記の実施形態の一部又は全部は、以下の付記のようにも記載されうるが、以下には限られない。
【００９８】
（付記１）  中継装置と、前記中継装置に接続される端末と、を備えるネットワーク内の前記端末に対して内線番号を設定する内線番号設定装置であって、
前記中継装置に内線番号を一つ以上対応付けておき、前記端末に該端末自身が接続されている中継装置に対応付けられている内線番号の何れかを設定することを特徴とする内線番号設定装置。
【００９９】
（付記２）  付記１に記載の内線番号設定装置であって、
前記端末から、内線番号の設定要求であって、該端末自身が接続されている中継装置を識別するための情報を含む、内線番号の設定要求を受信し、前記中継装置を識別するための情報により特定される中継装置に対応付けられている内線番号の何れかを要求元の端末に返信することを特徴とする内線番号設定装置。
【０１００】
（付記３）  付記１又は２に記載の内線番号設定装置であって、
前記端末が接続されている中継装置とは、複数の中継装置のうちの前記ネットワークにおいて前記端末に最も近い中継装置であることを特徴とする内線番号設定装置。
【０１０１】
（付記４）  付記１乃至３の何れか１に記載の内線番号設定装置であって、
前記中継装置に対応付ける内線番号を異なる中継装置間で重複させ、該異なる中継装置のうちの何れかの中継装置に接続されている前記端末に前記異なる中継装置間で重複させた内線番号を設定することを特徴とする内線番号設定装置。
【０１０２】
（付記５）  付記１乃至４の何れか１に記載の内線番号設定装置であって、
少なくとも１つの或る中継装置に対応付ける内線番号の一部については他の中継装置と重複させ、内線番号の他の一部については他の中継装置とは重複させず、該或る中継装置に接続されている前記端末に、前記他の中継装置と重複させた内線番号又は前記他の中継装置と重複させなかった内線番号の何れか一方を他方よりも優先的に設定することを特徴とする内線番号設定装置。
【０１０３】
（付記６）  付記１乃至５の何れか１に記載の内線番号設定装置であって、
前記内線番号を既に設定してある端末が新たに他の中継装置に接続された場合に、該他の中継装置に対応付けられている内線番号の何れかを該端末に新たに設定することを特徴とする内線番号設定装置。
【０１０４】
（付記７）  中継装置と、前記中継装置に接続される端末と、前記端末に対して内線番号を設定する内線番号設定装置とを備える内線番号設定システムであって、
前記内線番号設定装置は付記１乃至６の何れか１に記載の内線番号設定装置であり、
前記中継装置は、該中継装置自身を識別するための情報を該中継装置に接続されている端末に対して送信し、
前記端末は、前記中継装置から受信した前記中継装置自身を識別するための情報を、前記内線番号の設定要求に含めて、前記内線番号設定装置に対して送信することを特徴とする内線番号設定システム。
【０１０５】
（付記８）  中継装置と、前記中継装置に接続される端末と、を備えるネットワーク内の前記端末に対して内線番号を設定する内線番号設定装置としてコンピュータを機能させるための内線番号設定プログラムであって、
前記コンピュータを、
前記中継装置に内線番号を一つ以上対応付け、前記端末に該端末自身が接続されている中継装置に対応付けられている内線番号の何れかを設定する内線番号設定装置として機能させることを特徴とする内線番号設定プログラム。
【０１０６】
（付記９）  中継装置と、前記中継装置に接続される端末と、を備えるネットワーク内の前記端末に対して内線番号を設定する内線番号設定装置で行われる内線番号設定方法であって、
前記中継装置に内線番号を一つ以上対応付け、前記端末に該端末自身が接続されている中継装置に対応付けられている内線番号の何れかを設定する内線番号設定装置として機能させることを特徴とする内線番号設定方法。
【０１０７】
（付記１０）  中継装置と、前記中継装置に接続される端末と、前記端末に対して内線番号を設定する内線番号設定装置とを備えるシステムで行われる内線番号設定方法であって、
前記内線番号設定装置は、前記中継装置に内線番号を一つ以上対応付け、
前記中継装置は、該中継装置自身を識別するための情報を該中継装置に接続されている端末に対して送信し、
前記端末は、前記中継装置から受信した前記中継装置自身を識別するための情報を、内線番号の設定要求に含めて、前記内線番号設定装置に対して送信し、
前記内線番号設定装置は、前記内線番号の設定要求に応じて、該設定要求に含まれている前記端末に該端末自身が接続されている前記中継装置を識別するための情報に基づいて、前記端末に該端末自身が接続されている中継装置に対応付けられている内線番号の何れかを設定することを特徴とする内線番号設定方法。
【産業上の利用可能性】
【０１０８】
本発明は、中継装置の存在するネットワークにおける番号の設定に好適である。
【符号の説明】
【０１０９】
１  ＩＰ−ＰＢＸ
２  ＬＡＮスイッチ
３  ＩＰ電話機
１１  通信部
１２  内線番号管理部
１３  データベース
２１  通信部
２２  ＬＬＤＰ通知部
３１  通信部
３２  内線番号設定部
３３  記憶部
【図１】
2014158091.tif 000003
【図２】
2014158091.tif 000004
【図３】
2014158091.tif 000005
【図４】
2014158091.tif 000006
【図５】
2014158091.tif 000007
【図６】
2014158091.tif 000008
【図７】
2014158091.tif 000009
【図８】
2014158091.tif 000010
【図９】
2014158091.tif 000011